(57)【特許請求の範囲】
【請求項１】
通帳を読み取るイメージリーダを備え、該イメージリーダの清掃モードを有した金融端末の前記イメージリーダの通帳読取りガラス面を清掃するクリーニングシート構造の金融端末通帳部用イメージリーダ清掃治具において、
前記クリーニングシート構造の清掃治具は、
前記通帳が挿入される通帳挿入口に挿入され、該通帳の搬送機構により搬送される台紙と、該台紙の上にアルコール付フェルト部材、ブラシ部材、乾拭き用フェルト部材及び確認用シート部材の順に配置された清掃用部材からなり、
前記クリーニングシート構造の清掃治具を前記金融端末の通帳挿入口に挿入したとき、前記金融端末の通帳取扱モードにおける前記通帳の搬送機構による通帳搬送動作に従い、前記クリーニングシート構造の清掃治具を、前記イメージリーダの通帳読取りガラス面に接するように搬送し、該クリーニングシート構造の清掃用治具の搬送により、該イメージリーダの通帳読取りガラス面を清掃するものであり、
前記清掃用部材の前記アルコール付フェルト部材のフェルト材質の板状部材が、前記イメージリーダの下に移動して停止し、該状態において、該イメージリーダが前記清掃治具の上で左右又は前後に動いたとき、該アルコール付フェルト部材により、前記ガラス面の汚れを溶かし、前記ブラシ部材が前記イメージリーダの下に移動して停止し、該状態において、該イメージリーダが前記清掃治具の上で左右又は前後に動いたとき、該ブラシ部材により、こびり付いた汚れを落とし、前記乾き用部材のフェルト材質の板状部材が前記イメージリーダの下に移動して停止し、該状態において、該イメージリーダが清掃治具の上で左右又は前後に動いたとき、該乾き用部材により、前記アルコール付フェルト部材によるアルコールを含む汚れを拭き取ることを可能とする構成となっている
ことを特徴とする金融端末通帳部イメージリーダ清掃治具。
【請求項２】
請求項１記載の金融端末通帳部イメージリーダ清掃治具において、
前記清掃後、前記確認用シート部材が前記イメージリーダの読み取り位置に停止し、前記金融端末の読取用ＣＣＤにて前記通帳の画像を読み込む動作により得られる前記確認用シート部材の画像の解析結果を基に、前記イメージリーダのガラス面が汚れているか否かの判断を可能とすることを特徴とする金融端末通帳部イメージリーダ清掃治具。
【請求項３】
請求項１記載の金融端末通帳部イメージリーダ清掃治具において、
前記金融端末のイメージリーダのガラス面が汚れているか否かの判断を可能とする手段が、前記清掃治具によって、清掃しても前記イメージリーダのガラス面が汚れていると判断した場合、清掃動作を所定回までリトライし、所定回数を超えるとエラー処理を行うこととなることを可能とすることを特徴とする金融端末通帳部イメージリーダ清掃治具。
【発明の詳細な説明】
【技術分野】
【０００１】
本発明は、金融端末通帳部用イメージリーダ清掃治具に関し、特に金融端末の通帳部用イメージリーダを自動的に清掃することができる治具に関する。
【背景技術】
【０００２】
金融端末の通帳部イメージリーダは、通帳印字時において、通帳がどこまで印字されているかや、何ページ目であるかを確認する時に使用される。通帳搬送動作を行うと、イメージリーダのガラス面が通帳の行き来などにより汚れると、機能しなくなる。そこで、定期的にイメージリーダのガラス面を手動により清掃するが、突発的に障害となるケースもあり、対応に苦慮していた。また、清掃治具を使用することも提案されている（特許文献１参照）。
【特許文献１】特開２００６−２８１０８８号公報
【発明の開示】
【発明が解決しようとする課題】
【０００３】
本発明は、イメージリーダを特殊クリーニングシートと金融端末の清掃モードによって、自動的に清掃し、そして、汚れの落ち具合を簡単に確認することができる清掃治具を提供することを目的とする。
【課題を解決するための手段】
【０００４】
本発明は、台紙と、該台紙の上に設けた布材質の板状部材、ブラシ部材及び確認用シート部材からなり、金融端末が扱う通帳の形状の清掃治具であって、前記金融端末の通帳挿入口から挿入されると、前記金融端末の通帳取扱モードにおける通帳搬送動作に従い、前記布材質の板状部材及びブラシ部材が、前記金融端末の通帳部イメージリーダに接して通過し、前記イメージリーダのガラス面を清掃する金融端末通帳部イメージリーダ清掃治具である。
【０００５】
また、本発明は、前記清掃後、前記確認用シート部材が前記イメージリーダの読み取り位置に停止し、前記金融端末のＣＣＤにて通帳の画像を読み込む動作により得られる前記確認用シート部材の画像の解析結果を基に、前記イメージリーダのガラス面が汚れているか否かの判断を可能とする金融端末通帳部イメージリーダ清掃治具である。
【０００６】
そして、本発明は、最初に挿入されるアルコール付フェルト材質の板状部材が前記イメージリーダの下に移動して、前記ガラス面の汚れを溶かし、次に前記ブラシ部材が前記イメージリーダの下に移動してこびり付いた汚れを落とし、その次に乾いたフェルト材質の板状部材が前記イメージリーダの下に移動して、乾拭きをして汚れを効率的に落とすことを可能とする金融端末通帳部イメージリーダ清掃治具である。
【０００７】
更に、本発明は、清掃しても前記イメージリーダのガラス面が汚れていると判断された場合、清掃動作を所定回までリトライし、所定回数を超えるとエラー処理を行うこととなることを可能とする金融端末通帳部イメージリーダ清掃治具である。
【０００８】
また、本発明は、前記金融端末のガイダンス表示により、係員のボタンひとつ押す動作で、通帳部イメージリーダの清掃を可能とする金融端末通帳部イメージリーダ清掃治具である。
【０００９】
そして、本発明は、前記イメージリーダの下まで移動し、前記イメージリーダのガラス面が清掃治具の上で左右又は前後に動いて汚れを落とすことを可能とする金融端末通帳部イメージリーダ清掃治具である。
【発明の効果】
【００１０】
本発明によれば、イメージリーダを特殊クリーニングシートと金融端末の清掃モードによって、自動的に清掃し、そして、汚れの落ち具合を簡単に確認することができる清掃する治具を得ることができる。
【発明を実施するための最良の形態】
【００１１】
本発明を実施するための最良の形態を説明する。
本発明の金融端末通帳部用イメージリーダ清掃治具の実施例について、図面を用いて説明する。
【００１２】
実施例を説明する。本実施例の金融端末通帳部用イメージリーダ清掃治具は、図１に示すように、金融端末２における通帳挿入時と同じ搬送動作を受ける。清掃治具は、図２に示すように、台紙１の上に設けたアルコール付フェルト部材１１、ブラシ部材１２、乾拭き用フェルト部材１３、確認用シート部材１４を有する。
【００１３】
実施例の金融端末通帳部用イメージリーダ清掃治具の機能を説明する。本方式は、下記機能から成る。
（１）金融端末の係員画面にて「イメージリーダ清掃」の選択ボタンを押下する。
（２）清掃治具１を通帳部へ挿入するガイダンス案内が流れ画面にも挿入する画像を表示する。
（３）清掃治具１をガイダンスに従い挿入する。
以下の手順（４）〜（８）までは通帳部が自動的に搬送される動作に応じた動作となる。
（４）清掃治具１が取り込まれ「清掃面（１）のアルコール付フェルト部材１１」がイメージリーダ２１の下でストップする。
（５）イメージリーダ２１が左右に動作（１０回程度）し清掃動作を行う。
（６）清掃治具１が進み、「清掃面（２）のブラシ部材１２」が、イメージリーダ２１の下で止まる。
（７）（５）の動作と同じ動作を行い、アルコールだけでは落ちないガンコなこびりついた汚れをこそげ落とす。
（８）清掃治具１が進み、「清掃面（３）の乾拭き用フェルト部材１３」が、イメージリーダ２１の下で止まる。
（９）（５）の動作と同じ動作を行い、乾拭き動作を行い、アルコールなどを拭き取る。
（１０）清掃治具１が進み、「清掃面（４）の確認用シート部材１４」が、イメージリーダ２１の下で止まる。
（１１）イメージリーダ２１のＣＣＤにて画像を読込み、清掃できているか確認する。
（１２）清掃できていない場合、（４）〜（１０）を繰り返す。（リトライ動作：３回）
（１３）清掃ができていた場合、清掃治具１を逆方向に進めて、清掃治具１を排出する。
（１４）清掃リトライ動作３回やっても清掃できなかった場合、エラー表示を行い、障害コールする。
【００１４】
実施例の金融端末通帳部用イメージリーダ清掃治具の仕様の一例について、図３を用いて説明する。清掃治具は、台紙１の上に設けたアルコール付フェルト部材１１、ブラシ部材１２、乾拭き用フェルト部材１３、確認用シート部材１４からなる。
全体寸法：幅１４０＋０〜１ミリ×長さ１７５＋０〜２ミリ
カード厚み：８００ミクロン±１００ミクロン（基準値）
基材：白色ＰＥＴ（ポリエチレンテレフタレート樹脂）
基材厚み：２５０ミクロン
表面材料：特殊構造極細繊維腐食布（三菱製紙製）両面貼付け
外形寸法：図２参照（単位：ｍｍ）
【００１５】
実施例における清掃手順の一例について、図４を用いて説明する。
まず、Ｓ１０１において、係員操作にて「イメージリーダ清掃」の選択ボタンを押下する。
次に、Ｓ１０２において、清掃治具１を挿入する。
次に、Ｓ１０３において、清掃治具１の「清掃面（１）」を、イメージリーダの下の位置にセットする。
次に、Ｓ１０４において、イメージリーダを横に動かし、ガラス面を清掃する。
次に、Ｓ１０５において、清掃治具１を、３５ｍｍ進める。
次に、Ｓ１０６において、３回目か判断し、３回目であればＳ１０７に進み、３回目ではなければＳ１０４に戻る。
【００１６】
次に、Ｓ１０７において、イメージリーダで画像を取り込む。
次に、Ｓ１０８において、ガラス面に汚れが残っていないか判断し、残っていなければ政情であり、終了処理に進み、残っていればＳ１０９に進む。
【００１７】
次に、Ｓ１０９において、リトライ３回目か判断し、３回目ではないとＳ１０３に戻り、３回目であると、Ｓ１１０でエラー処理を行い、終了処理となる。
このようにして、清掃手順を行うことができる。
【図面の簡単な説明】
【００１８】
【図１】実施例の金融端末通帳部用イメージリーダ清掃治具の使用時の説明図。
【図２】実施例の金融端末通帳部用イメージリーダ清掃治具の説明図。
【図３】実施例の金融端末通帳部用イメージリーダ清掃治具の全体寸法の説明図。
【図４】実施例における清掃手順の説明図。
【符号の説明】
【００１９】
１  台紙、１１  アルコール付フェルト部材、１２  ブラシ部材、１３  乾拭き用フェルト部材、１４  確認用シート部材、２  金融端末、２１  イメージリーダ。
【図１】
0005046828.tif 000002
【図２】
0005046828.tif 000003
【図３】
0005046828.tif 000004
【図４】
0005046828.tif 000005